(57)【要約】【課題】急激な階崩壊を抑制するとともに、階崩壊時に生存空間を確保する、建物の倒壊防止構造を提供する。【解決手段】台座と、前記台座の上部に並列および積層する複数の箱状体と、最下段の前記箱状体と前記台座との間に配置する支持板と、を有し、前記箱状体は、前面と背面を開口した中空の立方体であり、前記台座は、鋼管からなる台座管を複数本並べて起立して構成し、隣接する前記箱状体どうしは接する面を一体に連結することを特徴とする、倒壊防止構造。【選択図】図１
2020190149.tif 000002
【特許請求の範囲】
【請求項１】
台座と、
前記台座の上部に並列および積層する複数の箱状体と、
最下段の前記箱状体と前記台座との間に配置する支持板と、を有し、
前記箱状体は、前面と背面を開口した中空の立方体であり、
前記台座は、鋼管からなる台座管を複数本並べて起立して構成し、
隣接する前記箱状体どうしは接する面を一体に連結することを特徴とする、
倒壊防止構造。
【請求項２】
請求項１に記載の倒壊防止構造において、
前記台座管の内部には、前記台座管よりもヤング係数の低い材料を充填して硬化した柱状体を有し、
前記支持板の下面には、前記台座管に挿入可能な支持足と突設し、
前記柱状体の上面は、前記台座管の上端よりも所定の高さだけ下げた位置にあり、
前記支持足の長さは、前記柱状体の上面から前記台座管の上端までの高さよりも長いことを特徴とする、
倒壊防止構造。
【発明の詳細な説明】
【技術分野】
【０００１】
本発明は、建物の倒壊防止構造に関するものである。
【背景技術】
【０００２】
従来、建物の倒壊を防止する構造としては、建物の基礎部と梁の間に箱状体を積層する構造が知られている。
この構造は、建物の柱が破損した時に積層した箱状体により柱の軸力を引き受けるものであり、積層した箱状体が各層毎に順番に変形することにより、急激な階崩壊を防止する。
【先行技術文献】
【特許文献】
【０００３】
【特許文献１】特開２０１３−１２２１５９号公報
【発明の概要】
【発明が解決しようとする課題】
【０００４】
近年、地震による被害が多発しているが、建物の階が崩壊したときに垂れ壁や腰壁により生存空間が確保され、建物内部にいた人が助かった例があった。
従来の建物の倒壊防止構造は、急激な階崩壊を防止することで全倒壊を防ぐものであるが、例えば建物の上層の急激な崩壊等により荷重が過大となり、全ての箱状体が変形してしまう場合には、最終的に生存空間が確保されないおそれがある。
【０００５】
本発明は、急激な階崩壊を抑制するとともに、階崩壊時に生存空間を確保する、建物の倒壊防止構造（倒壊防止構造体）を提供することを目的とする。
【課題を解決するための手段】
【０００６】
上記目的を達成するためになされた本願発明の倒壊防止構造は、台座と、前記台座の上部に並列および積層する複数の箱状体と、最下段の前記箱状体と前記台座との間に配置する支持板と、を有し、前記箱状体は、前面と背面を開口した中空の立方体であり、前記台座は、鋼管からなる台座管を複数本並べて起立して構成し、隣接する前記箱状体どうしは接する面を一体に連結することを特徴とする。
また、前記台座管の内部には、前記台座管よりもヤング係数の低い材料を充填して硬化した柱状体を有し、前記支持板の下面には、前記台座管に挿入可能な支持足と突設し、前記柱状体の上面は、前記台座管の上端よりも所定の高さだけ下げた位置にあり、前記支持足の長さは、前記柱状体の上面から前記台座管の上端までの高さよりも長いことを特徴とする。
【発明の効果】
【０００７】
本発明は、上記した課題を解決するための手段により、次のような効果の少なくとも一つを得ることができる。
（１）積層した箱状体が各層ごとに順番に変形するため、急激な階崩壊を抑制する。
（２）台座管を介した圧縮力の作用した柱状体は、台座管により周方向を拘束されるため、コンファインド効果が発揮され、柱状体の耐力や靭性が向上する。
（３）支持足を介して柱状体に荷重が作用すると、柱状体が圧縮変形するため、支持板に作用した衝撃力を吸収し、台座管に過大な衝撃力が作用するのを抑制する。
（４）台座は鋼管からなるため、建物の重量や階崩壊による荷重を受けても変形せず、階崩壊時に生存空間が確保される。
【図面の簡単な説明】
【０００８】
【図１】本発明の倒壊防止構造の斜視図
【図２】箱状体の斜視図
【図３】支持板の斜視図（１）
【図４】支持板の斜視図（２）
【図５】本発明の倒壊防止構造の配置状態の説明図
【図６】箱状体の変形の説明図（１）
【図７】箱状体の変形の説明図（２）
【図８】柱状体の変形の説明図
【図９】台座により生存空間が確保された状態の説明図
【図１０】その他の実施例にかかる台座の説明図
【発明を実施するための形態】
【０００９】
以下、図面を参照しながら本発明の倒壊防止構造を詳細に説明する。
【００１０】
［実施例１］
（１）倒壊防止構造
本発明の倒壊防止構造は、複数の箱状体１を台座２の上部に並列および積層して構成するものである（図１）。
中空の台座２の内部には柱状体３を配置する。
また、最下段の箱状体１の下部には支持板４を配置し、支持板４の下面には支持足５を突設する。
【００１１】
（２）箱状体
箱状体１は、前面と背面を開口した中空の立方体であり、鋼板により構成する（図２）。
箱状体１は、各面のそれぞれ対応する位置にボルト挿通孔１１を設ける。
箱状体１は、並列および積層し、接する面のボルト挿通孔１１にボルト及びナットにより構成する連結材１２のボルトを挿通し、ナットを螺合して連結する。
【００１２】
（３）台座
台座２は、鋼管からなる台座管２１を複数本並べて起立したものである。
台座管２１の内部には、柱状体３を充填する。
柱状体３は、発泡コンクリート等の、台座管２１よりもヤング係数の低い材料を台座管２１の内部に充填して硬化したものである。
【００１３】
（４）支持板
支持板４は、箱状体１と台座２との間に配置する板状体である。
支持板４は、上面に連結ボルト４１を突設する（図３）。
連結ボルト４１は、箱状体１のボルト挿通孔１１に対応した位置に突設し、ボルト挿通孔１１に挿通してナット４２を締め付けて、支持板４の上面に箱状体１を固定する。
支持板４の下部に突設する支持足５は、台座管２１に挿入可能な断面形状とし、台座管２１の上端から内部に挿入する。
台座管２１の内部に充填する柱状体３は、台座管２１の上端まで充填せず、所定の高さだけ下げた位置を上面とする。そして、柱状体３の上面により支持足５の下端を支持する。
支持足５の長さは、柱状体３の上面から台座管２１の上端までの高さよりも長くする。
このように構成することにより、柱状体３により支持足５を支持している状態のとき、支持板４と台座管２１とは接しない。
支持板４は、１枚の板状体を並列する複数の台座管２１の上端に亘って配置してもよいし（図３）、１本の台座管２１及び支持足５毎に１枚の板状体を配置してもよい（図４）。このとき、１枚の支持板４は、台座管２１の内径よりも大きくする。
【００１４】
（５）倒壊防止構造の配置
本発明の倒壊防止構造は、柱６の近傍であって梁７と基礎部８との間に配置する（図５）。
台座２の下端は基礎部８に固定するが、箱状体１の上端と梁７は連結しない。このように構成することにより、梁７と基礎部８が相対的にずれた場合でも、倒壊防止構造にせん断力が作用せず、せん断力による変形が生じない。
【００１５】
（６）倒壊防止構造の作用
（６．１）箱状体の作用
柱６崩壊時、本発明の倒壊防止構造は柱６の代わりに軸力を支持する。倒壊防止構造はせん断力による変形が生じないため、軸力支持の効果が常に発揮される。
そして、受ける軸力が大きくなると、積層した箱状体１が層ごとに変形し、衝撃を吸収する（図６、図７）。
積層した箱状体１は、階崩壊に至る段階で各層ごとに順番に変形するため、急激な階崩壊を抑制する。
【００１６】
（６．２）柱状体の作用
本発明の倒壊防止構造は、柱状体３の上面により支持足５の下端を支持するため、箱状体１から支持板４にかかる荷重は、支持足５を介して柱状体３に作用する（図８（ａ））。
支持足５は台座管２１の内部に収まっており、支持板４と台座管２１は接していないため、支持板４に作用した衝撃力は台座管２１には直接伝達されず、支持足５から柱状体３を介して、台座管２１に側圧により伝達されるので、台座管２１は座屈を生じない。
柱状体３は、台座管２１の中に充填されているので、衝撃力による圧縮力が作用し続けても裸の発泡コンクリートのように崩壊することなく、歪みを保ちながら形状を維持する。また、圧縮力の作用した柱状体３は台座管２１により周方向を拘束されるため、コンファインド効果が発揮され、柱状体３の耐力や靭性が向上する。
【００１７】
また、柱状体３はヤング係数が低いため、荷重が大きくなると圧縮変形する（図８（ｂ））。
柱状体３は台座管２１の上端から所定の高さだけ下げた位置が上面となる。また、支持足５の長さは柱状体３の上面から台座管２１の上端までの高さよりも長いため、支持板４の下面と台座管２１の上端との間は所定の距離離れている。このため、支持足５を介して柱状体３に荷重が作用すると、この距離だけ、柱状体３が圧縮変形する。
柱状体３が圧縮変形するため、支持板４に作用した衝撃力を吸収し、台座管２１に過大な衝撃力が作用するのを抑制する。
そして、柱状体３が圧縮変形して支持板４の下部が台座管２１の上端に当接すると、支持板４に作用する荷重は、台座管２１により支持される。
【００１８】
（６．３）台座の作用
階崩壊時、箱状体１により急激な階崩壊が抑制されるため、台座２には過大な荷重は作用しない。
そして、台座２は鋼管からなるため、建物の重量や階崩壊による荷重を受けても変形せず、階崩壊時に生存空間Ｓが確保される（図９）。
【００１９】
［その他の実施例］
（１）台座の構造
実施例１における台座２は、台座管２１を隣接して配置し、内部に柱状体３を充填したが、建物が低層な場合などで想定される荷重が小さい場合には、台座管２１を所定の間隔を空けて配置してもよいし（図１０（ａ））、内部に柱状体３を充填せず、台座管２１により直接支持板４を支持してもよい（図１０（ｂ））。このとき、支持板４は、支持足５を突設しない構成としてもよい。
【符号の説明】
【００２０】
１      箱状体
１１    ボルト挿通孔
１２    連結材
２      台座
２１    台座管
３      柱状体
４      支持板
４１    連結ボルト
４２    ナット
５      支持足
６      柱
７      梁
８      基礎部
【図１】
2020190149.tif 000003
【図２】
2020190149.tif 000004
【図３】
2020190149.tif 000005
【図４】
2020190149.tif 000006
【図５】
2020190149.tif 000007
【図６】
2020190149.tif 000008
【図７】
2020190149.tif 000009
【図８】
2020190149.tif 000010
【図９】
2020190149.tif 000011
【図１０】
2020190149.tif 000012